(57)【要約】【課題】   管理調整モードのログオフ忘れによる設定改ざんを防止する管理調整モードプロテクション機能を備えた回路基板製造装置及びその運転方法を提供する。【解決手段】   装置の運転に関する権限を持つ一般オペレーターが操作可能な作業モードと、前記一般オペレータは操作できず特定ユーザのみ操作可能な管理調整モードとを持つ回路基板製造装置の運転方法において、前記回路基板製造装置が前記管理調整モードでかつ該管理調整モードに関する操作のない状態が所定時間経過した時点で、該管理調整モードを自動的に終了させるプロテクション制御を行う。【選択図】  図１６
2008235915.tif 000002
【特許請求の範囲】
【請求項１】
装置制御用のコンピュータを備え、装置の運転に関する権限を持つ一般オペレータが操作可能な作業モードと、前記一般オペレータは操作できず特定ユーザのみ操作可能な管理調整モードとを持つ回路基板製造装置の運転方法において、前記回路基板製造装置が前記管理調整モードにありかつ該管理調整モードに関する操作のない状態が所定時間経過した時点で、該管理調整モードを自動的に終了させるプロテクション制御を行うことを特徴とする回路基板製造装置の運転方法。
【請求項２】
前記回路基板製造装置が入出力装置の一部としての機能を有する表示装置を備えており、該表示装置に表示される管理調整モードの表示画面の場合に限り前記オートログオフを機能させ、それ以外のモードでは機能させないことを特徴とする請求項１記載の回路基板製造装置の運転方法。
【請求項３】
前記プロテクション制御は、特定ユーザを選択可能に表示する再ログイン受付画面を表示することを特徴とする請求項１又は２記載の回路基板製造装置の運転方法。
【請求項４】
装置制御用のコンピュータを備え、装置の運転に関する権限を持つ一般オペレータが操作可能な作業モードと、前記一般オペレータは操作できず特定ユーザのみ操作可能な管理調整モードとを持つ回路基板製造装置において、前記回路基板製造装置が前記管理調整モードにありかつ該管理調整モードに関する操作のない状態が所定時間経過した時点で、該管理調整モードを自動的に終了させるプロテクション制御を行うことを特徴とする回路基板製造装置。
【請求項５】
前記回路基板製造装置が入出力装置の一部としての機能を有する表示装置を備えており、該表示装置に表示される管理調整モードの表示画面の場合に限り前記オートログオフを機能させ、それ以外のモードでは機能させないことを特徴とする請求項４記載の回路基板製造装置。
【請求項６】
前記プロテクション制御は、特定ユーザを選択可能に表示する再ログイン受付画面を表示することを特徴とする請求項４又は５記載の回路基板製造装置。
【発明の詳細な説明】
【技術分野】
【０００１】
本発明は、管理調整モードを持つ電子部品組み立て装置及びその運転方法に関するものである。
【背景技術】
【０００２】
電子部品組み立て機等の回路基板製造装置を使用する現場において、生産ラインの適正な管理を行うために、製造装置に付属するコンピュータ（端末）のオペレータを、回路基板製造装置を管理するライン管理者（ＳＵＰＥＲ ＵＳＥＲ）と、ライン管理者の下で製
造装置を稼動させる一般オペレータ（一般ＵＳＥＲ）とに区分することが行われている。
【０００３】
この場合、製造装置の操作に関して、ライン管理者は、装置の「管理・調整」を含むライン管理に関する全ての権限を与えられているが、一般オペレータは、ただ単に、装置の通常運転に関する権限（生産を実行するだけの権限）しか与えられない。
【０００４】
ライン管理者や一般オペレータは、夫々、個人認証を行って製造装置の端末にログインして、タッチパネルディスプレイを介して入力操作を行う。一般オペレータの場合、操作中は、自分の権限に応じた入出力画面しか表示されないので、操作権限が制限されることになる。
【０００５】
このように権限のレベルを異ならせるのは、「ラインの責任者を明確にすること（責任者＝ライン管理者）」と「初心者でも（一般オペレータとしてならば）簡単に仕事を行えるようにすること」等の理由による。
【０００６】
他方、コンピュータに関して、認証を伴ったログインを完了し、ユーザが操作可能となり、かつ、操作無しの状態が所定時間経過した場合には、現在ログイン中のユーザをオートログオフさせることは、例えば、特許文献１及び２などに記載のものが知られている。
【特許文献１】特開平５−２７４２７０号公報
【特許文献２】特開２０００−３１５１８９号公報
【発明の開示】
【発明が解決しようとする課題】
【０００７】
製造装置のライン管理者が、管理調整モードにログイン中に何らかの理由で待ち場を離たり、ログオフを忘れて帰宅することが考えられる。このような場合、誤って一般オペレータがライン管理者の「管理・調整」に関する画面を操作し、オペレータが、権限の無い装置設定などを変更してしまう虞がある。その結果、製造装置の故障、停止、不良品の製造、事故といった不具合が生じる可能性がある。
【０００８】
また、システム全体を管理するための特別な権限を与えられた上位管理者と、システム内の個々の端末を利用する一般のオペレータとが存在する分野のコンピュータシステムにおいても、同様な問題の発生する可能性がある。
【０００９】
本発明の目的は、管理調整モードのログオフ忘れによる設定改ざんを防止する管理調整モードプロテクション機能を備えた回路基板製造装置及びその運転方法を提供することにある。
【００１０】
本発明の他の目的は、生産（装置の運転）の進捗に支障を来したり、生産効率を落すことのない管理調整モードプロテクション機能を備えた回路基板製造装置及びその運転方法
を提供することにある。
【課題を解決するための手段】
【００１１】
本発明の特徴は、装置制御用のコンピュータを備え、装置の運転に関する権限を持つ一般オペレータが操作可能な作業モードと、前記一般オペレータは操作できず特定ユーザのみ操作可能な管理調整モードとを持つ回路基板製造装置の運転方法において、前記回路基板製造装置が前記管理調整モードにありかつ該管理調整モードに関する操作のない状態が所定時間経過した時点で、該管理調整モードを自動的に終了させるプロテクション制御を行うことにある。
【００１２】
本発明によれば、ライン管理者がログイン中に一定時間持ち場を離れたときは、自動的にログオフさせて、一般オペレータに「管理・調整」の画面を操作させないようにする。すなわち、装置で、問題が発生した場合、ライン管理者は、パスワードを用いて装置を管理調整モードへ切り替えて作業を行う。そこで、問題が解決すると、管理調整モードのログオフをせずに装置から離れてしまう場合がある。この時、装置がアクセスの無い時間を測定し、あらかじめ設定した時間を経過したら管理調整モードから自動でログオフする。
【００１３】
具体的には、タッチパネルに対する操作が行われない時間をタイマーでカウントし、カウントされた時間が予め設定された時間（ライン管理者が持ち場から離れたことを推定できる時間）に到達したときに、オートログオフさせるようにする。これにより、前記の不具合は極力回避することができる。
【００１４】
また、このようなオートログオフの対策をとることによって、「管理・調整」に関する画面を保護できたとしても、そのために、生産（装置の運転）の進捗に支障をきたすことがあってはならない。そこで、できるだけ、生産効率を落さないように、以下の工夫がなされている。
【００１５】
すなわち、本発明の他の特徴は、装置の運転に関する権限を持つ一般オペレータが操作可能な作業モードと、前記一般オペレータは操作できず特定ユーザのみ操作可能な管理調整モードとを持つ回路基板製造装置において、前記管理調整モードに関して操作のない状態が所定時間経過した時点でオートログオフし、作業モードに一般オペレータがログインしている時は、オートログオフを行わない。
【００１６】
オートログオフ後に再ログイン可能な特定ユーザは、再ログイン受付画面において選択可能に表示される。これにより、誰が再ログイン可能かが明瞭にわかるようになり、また、再ログインに要する操作を通常のログインの場合よりも簡単に行えるようになる。
【００１７】
また、再ログイン受付画面を表示することにより、最後の操作が「管理・調整」画面である場合に、「管理・調整」の設定が不十分なまま持ち場を離れた可能性もあるため、新たにログインして生産が続行されることを回避することができる。
【発明の効果】
【００１８】
本発明によれば、ライン管理者がログイン中に一定時間持ち場を離れたときは、自動的にログオフさせて、一般オペレータに「管理・調整」の画面を操作させないようにする。一般ユーザはライン管理者のパスワードを知らないため、「管理調整モード」に出来ないので、各端末やシステムの設定を改ざんすることが出来なくなる。このため、装置やシステムの停止が無くなり、不良品を作成する率が下がる事等が期待される。
【発明を実施するための最良の形態】
【００１９】
以下、本発明の実施例を詳細に説明する。まず、図１は、本発明の一実施例になる管理
調整モードプロテクション機能を備えた回路基板製造装置のブロック構成図である。
【００２０】
図１において、１０はホストコンピュータ（回路基板製造装置制御サーバー）であり、通信ネットワークを介して接続された複数の回路基板製造装置２０（ライン２０Ａ〜２０Ｎ）を統括制御する。各回路基板製造装置２０は、制御部２１、入力部２２、表示部２３、通信部２４、時計部２５、記憶部２６、および生産実行部２７を備えている。なお、各回路基板製造装置２０の上記構成は、たとえば、ＣＰＵやメモリ、プログラムおよび入出力手段などを備えたコンピュータによって、実現される。また、表示部２３は入力部２２の一部の機能を備えたタッチパネルディスプレイ（管理調整パネル）となっている。
【００２１】
制御部２１には、制御部２１が実行する機能として、設定変更及び調整の可能な「管理調整モード」と、最低限生産の可能な「生産モード」がある。回路基板製造装置２０のユーザ（オペレータ）は、ユーザ名とパスワードで個々にログオン管理し、ユーザ毎に実行可能コマンドを持っている。ライン管理者は、自分が管理するライン２０Ａ〜２０Ｎのいずれかで問題が発生すると、その装置に駆けつけ、管理調整モードにログインし調整や設定変更を行う。制御部２１は、このような回路基板製造装置２０に関する通常の制御のほか、本発明の特徴であるオートログオフ・ログオン機能やオートログイン機能を実行する。
【００２２】
通信部２４は、ネットワーク１２を介してホストコンピュータ１０等との通信を制御する。すなわち、ホストコンピュータ１０から送信された新規の「生産作業プログラム」を受信したり、ホストコンピュータ１０での生産状況集中管理のために、回路基板製造装置２０の稼動状況情報をホストへ送信したりする。
【００２３】
計時部２５は、タッチパネルに対する無操作時間を計時するタイマーである。制御部２１からパネル操作を知らされる度に計時をリセットしてやりなおす。計時される時間が設定時間に到達するとその旨を制御部２１に通知し、後で述べるオートログオフ機能２４０が実行される。
【００２４】
生産実行部２７は、基板の搬入搬出と、搬入された基板に対して部品の実装を行う、生産装置の機構部分である。
【００２５】
図２に示すように、記憶部２６には、生産に必要なプログラムやデータが記憶される。さらに、本発明の特徴であるオートログオフ機能やオートログイン機能等を実行するためのプログラムやデータが記憶される。本発明の実施例では、最低限、以下の情報が記憶部２６に記憶される。
【００２６】
（ａ）「生産作業プログラム」２６１基板に実装される部品の種類、座標、実装順番を示すプログラムであり、生産実行部２７において実行される。
（ｂ）「装置の駆動状況のデータ」２６２設定された回路基板製造装置の駆動条件（例：部品装着ヘッドの駆動速度、取付けられたノズルの種類、各種固有値、等）を示すデータである。このデータは、ＳＵＰＥＲ ＵＳＥＲによって設定、変更される。
（ｃ）「登録ユーザデータ」２６３登録されたユーザ名とパスワードを管理するデータである。
（ｄ）「オートログオフ・オートログイン制御実行プログラム」２６４本発明の特徴であるオートログオフ機能やオートログイン機能等を実行するプログラムである。
（ｅ）「実行プログラムに関する事前の設定項目データ」２６５オートログオフ機能やオートログイン機能を実行するプログラムに関する設定項目データである。例えば、オートログオフ機能が実行されるまでの設定時間があり、これは、ライン管理者が設定する。
【００２７】
各回路基板製造装置２０に関するライン管理者、一般のオペレータ、デフォルトユーザは、あらかじめ指定されており、それらに関するデータが「登録ユーザデータ」２６３として記憶装置２６に登録されている。
【００２８】
図３に、ライン管理者、一般のオペレータ、デフォルトユーザの登録リストの例を示す。一般のオペレータやデフォルトユーザは、それぞれＳＵＰＥＲ ＵＳＥＲによって制限
された権限を有する。
【００２９】
ライン管理者（ＳＵＰＥＲ ＵＳＥＲ）は、マシンの操作や設定に関する全ての権限を
有するユーザで、通常は、ラインの管理者や責任者が担当する。具体的には、「マシンを稼動（自動運転）させる権限」、「マシンの設定を変更する権限」、「一般ユーザ（デフォルトユーザ）の登録・削除を行う権限」、「オートログオフの設定（デフォルトユーザの設定を含む）を行う権限」、を有する。通常は一人だが複数人いても良い。ライン管理者は、特定のパスワードを持つ。
【００３０】
一般ユーザ（一般オペレータ）は、「マシンを稼動（自動運転）させるための権限」のみを有するユーザであり、マシンの稼動の開始と停止を行う権限と、マシンの稼動の継続に必要な補助的な権限（例；部品切れのときに部品をセッティングする権限）、を有する。通常は、ＳＵＰＥＲ ＵＳＥＲの管理の下で生産作業を行う者が該当する。
【００３１】
また、デフォルトユーザは、一般ユーザと同じ権限を持つユーザであり、ＳＵＰＥＲ 
ＵＳＥＲによって、オートログオフに連続するオートログイン先として登録されるユーザである。
【００３２】
デフォルトユーザが登録されていると、ＳＵＰＥＲ ＵＳＥＲのオートログオフの後に
デフォルトユーザにオートログインする。つまり、ＳＵＰＥＲ ＵＳＥＲのオートログオ
フ後の、オートログインの受け入れ先となる。
【００３３】
通常は、デフォルトユーザのパスワードはライン関係者の全てに公開される。ライン関係者の誰もがデフォルトユーザとしてログインできるようにする。
【００３４】
一般ＵＳＥＲやデフォルトユーザは、「メンテナンス」に関する権限が一切ない。「生産」と「セットアップ」に関しては基本的に権限を有するが、ＳＵＰＥＲ ＵＳＥＲによ
って機能制限されるようになっており、制限された権限は実行できない。
【００３５】
図４は、ＳＵＰＥＲ ＵＳＥＲがログインした後の表示画面（タッチパネル画面）２３
０における入力モードの階層を示している。入力モードの階層としては、ＬＯＧＩＮ領域（１）、ＳＵＰＥＲ ＵＳＥＲメニュー（２）、「メンテナンス」領域（３）、「オペレ
ータ設定」領域（４）、「ＳＵＰＥＲ ＵＳＥＲ ＡＵＴＯ ＬＯＧＯＦＦ」領域（５）が
ある。ＳＵＰＥＲ ＵＳＥＲメニュー２には、「生産」や「セットアップ」の領域もある
。
【００３６】
また、図５は、一般ＵＳＥＲ（及びデフォルトユーザ）の場合］の表示画面（タッチパネル画面）２３０を示している。この一般ＵＳＥＲのメニュー画面（７）には、「メンテナンス」領域（３）、「オペレータ設定」領域（４）、「ＳＵＰＥＲ ＵＳＥＲ ＡＵＴＯ
ＬＯＧＯＦＦ」領域（５）が無く、「生産」や「セットアップ」の領域のみとなってい
る。
【００３７】
すなわち、一般ＵＳＥＲには「メンテナンス」モードが無く、ＳＵＰＥＲ ＵＳＥＲメ
ニュー２の「メンテナンス」の階層に含まれる「メンテナンス」領域（３）、「オペレー
タ設定」領域（４）、「ＳＵＰＥＲ ＵＳＥＲ ＡＵＴＯ ＬＯＧＯＦＦ」領域（５）の画
面は、ＳＵＰＥＲ ＵＳＥＲしか侵入することができないモードである。
【００３８】
次に、図６以下で、本発明の一実施例になる回路基板製造装置の動作を説明する。この実施例は、ライン管理者のユーザ名をＳＵＰＥＲ ＵＳＥＲとして管理した場合の実施例
であり、ライン管理者が、一般オペレータのアクセス権の無い管理調整パネルで放置した場合、もう一度ＳＵＰＥＲ ＵＳＥＲでログインし直すか、再立ち上げを必要とする。
【００３９】
まず、図６は、ログイン画面からの動作の流れを示すフローチャートである。入力部２２の機能を備えた表示部２３のタッチパネルディスプレイからログイン操作を行う（６０２）。すなわち、ログイン画面において、ＳＵＰＥＲ ＵＳＥＲ（通常はライン管理者）
または一般オペレータ（一般ＵＳＥＲ）が、それぞれパスワードを入力してログインする（６０４）。図９に、タッチパネル画面のＳＵＰＥＲ ＵＳＥＲのＬＯＧＩＮ受付画面（
１）の例を示す。認証がなされると（６０６）、ＳＵＰＥＲ ＵＳＥＲは図１０の「ＳＵ
ＰＥＲ ＵＳＥＲメニュー画面」（２）に移り（６０８）、一般オペレータは図１５の「
一般ＵＳＥＲのメニュー画面」（７）に移る（６１０）。一般ＵＳＥＲのメニュー画面に関しては、後で説明する。
【００４０】
ＳＵＰＥＲ ＵＳＥＲがログインした場合、図７に示すように、管理調整パネルで入力
操作を行い、設定変更または調整する（６１６）。
【００４１】
図１０の「ＳＵＰＥＲ ＵＳＥＲメニュー画面」（２）において、ＳＵＰＥＲＵＳＥＲ
は、生産の実行に必要なコマンド群である「生産」、「セットアップ」と、生産条件の変更等を行う「メンテナンス」を選択できる（６１８）。この「メンテナンス」を選択すると（６２０）、図１１の「ＳＵＰＥＲ ＵＳＥＲのメンテナンス画面」（３）に移動する
（６２２）。このメンテナンス画面（３）は、生産ラインの管理責任者であるＳＵＰＥＲ
ＵＳＥＲのみが設定・操作可能である条件・コマンドが集められている。ＳＵＰＥＲ ＵＳＥＲが入力操作により「オペレータ設定」を選択すると（６２６）、図１２の「ＳＵＰＥＲ ＵＳＥＲのオペレータ設定画面」（４）に移る（６３０）。「オペレータ設定」で
ない場合、選択されたメンテナンスに関するコマンドを実行する（６２８）。
【００４２】
ＳＵＰＥＲ ＵＳＥＲのオペレータ設定画面（４）では、（「Ｏｐｅｒａｔｏｒ Ｓｅｔｔｉｎｇ」釦）により、図８に示すように、オペレータ（一般ＵＳＥＲ）の新規登録、登録削除を行う（６３２〜６３６）。また、オペレータの操作権限の登録・変更も行う。
【００４３】
ＳＵＰＥＲ ＵＳＥＲのオペレータ設定画面（４）で「ＳＵＰＥＲ ＵＳＥＲＡＵＴＯ 
ＬＯＧＯＦＦ」を選択すると（６３４）、図１３の「ＳＵＰＥＲＵＳＥＲのＡＵＴＯ Ｌ
ＯＧＯＦＦ機能設定画面」（５）に移動する（６３８）。本機能は、装置上で使用する／しないの切替が可能である。また、自動ログオフする時間は、ユーザの好みによるため設定可能とする。タイムアップ時に変更するデフォルトのユーザ名も指定可能である。ＳＵＰＥＲ ＵＳＥＲの入力操作に応じて、ＡＵＴＯ ＬＯＧＯＦＦ機能が変更される（６４０〜６４２）。
【００４４】
一連の操作の後、通常のログオフを行う場合には、図１４に示した画面の「ログオフ実行釦」を操作する。
【００４５】
次に、ＡＵＴＯ ＬＯＧＯＦＦの動作について説明する。図１６に、オートログオフ機
能の実行フローチャートを示す。これは、デフォルトユーザが設定されている場合の、ＳＵＰＥＲ ＵＳＥＲがログインしているときに、制御部２１の判断によって実行されるフ
ローである。
【００４６】
ＳＴＡＲＴ後、「操作無し」が所定時間経過か判断し（１６０２）、最終操作画面は「メンテナンス」か判断する（１６０４）。最終操作画面が「生産」の場合は、さらに、現在実行中の生産は終了したか判断する。すなわち、この場合は生産動作が実行中である可能性があるので、現在実行中の生産は終了したか判断し（１６０６）、生産動作が終了した場合、ＳＵＰＥＲ ＵＳＥＲを自動的にログオフさせる（１６０８）。そして、設定さ
れているデフォルトユーザに自動的にログインする（１６１０）。
【００４７】
もし、最終操作画面が「メンテナンス」の場合は、生産動作が実行されていることはないので、直ちにオートログオフする。すなわち、ＳＵＰＥＲ ＵＳＥＲを自動的にログオ
フさせる（１６１２）。さらに、ユーザ登録リストを参照し、最終操作画面に権限を有するユーザを抽出する（１６１４）。そして、再ログイン受付画面（６）を表示する（１６１６）。すなわち、図１７に示すように、再ログイン可能なユーザ名を選択可能に表示する。この場合は、ＳＵＰＥＲ ＵＳＥＲが、再ログイン可能なユーザとして抽出され表示
される。現場にＳＵＰＥＲＵＳＥＲはいないが生産を続行したい場合は、再ログインできないため、一旦シャットダウンをしてから、ログインする。
【００４８】
このように、オートログオフ、オートログインすれば、一般ユーザはライン管理者のパスワードを知らないため、「管理調整モード」に出来ない。したがって、一般ユーザは「管理調整モード」による設定の改ざんが出来なくなる。このため、装置が動かなくなることが無くなり、また、不良品を作成する率が下がる事が期待される。
【００４９】
図１３の「ＳＵＰＥＲ ＵＳＥＲのＡＵＴＯ ＬＯＧＯＦＦ機能設定画面」（５）において、オートログオフ機能のＯＮ／ＯＦＦ、オートログオフまでの経過時間の設定、オートログオフ直後にオートログインさせるユーザ（一般ＵＳＥＲの誰か）の設定、を行うことができる。オートログイン先のユーザには、通常は、個人として特定されない一般ＵＳＥＲであるデフォルトユーザ（関係者にＰＡＳＳＷＯＲＤが公開され、最低限の操作権限が設定された一般ＵＳＥＲ）が設定される。
【００５０】
なお、オートログイン先の一般ＵＳＥＲ（デフォルトユーザ）の設定は、必ずしも行わなくても良い。
【００５１】
次に、図１８は、デフォルトユーザが設定されていない場合の、オートログオフ機能の実行フローチャートを示す。すなわち、デフォルトユーザが設定されていない場合に、ＳＵＰＥＲ ＵＳＥＲがログインしているときに制御部２１の判断によって実行されるフロ
ーである。
【００５２】
ＳＴＡＲＴ後、「操作無し」が所定時間経過か判断し（１８０２）、現在実行中の生産は終了したか判断し（１８０４）、ＳＵＰＥＲ ＵＳＥＲを自動的にログオフさせる（１
８０６）。さらに、ユーザ登録リストを参照し、最終操作画面に権限を有するユーザを抽出する（１８０８）。さらに、図１７に示した再ログイン受付画面（６）を表示する（１８１０）。この画面で、再ログイン可能なユーザを選択可能となるので、最終操作画面の操作権限を持つユーザを再ログイン可能なユーザに決定し、再ログイン受付画面において選択可能に表示する。
【００５３】
すなわち、デフォルトユーザが設定されていない場合、または、デフォルトユーザは設定されているがＳＵＰＥＲ ＵＳＥＲの最終操作画面が「メンテナンス」モードに含まれ
る画面であった場合は、オートログオフの直後に、図１７に示す「オートログオフが実行された後のログイン受付画面」（６）となり、再ログインを受付可能とする。
【００５４】
図１７のログオン画面（６）において、自動ログオフした場合で、デフォルトユーザの指定が無い場合、またはデフォルトユーザがアクセスを認められていない場合は、下記ログイン画面に成り再ログインが必要となる。
【００５５】
ＡＵＴＯ ＬＯＧＯＦＦが実行された後の再ＬＯＧＩＮ受付画面では、オートログオフ
が実行された最終操作画面にアクセス権のあるユーザが、再ログイン可能なユーザとして選択可能に表示される。（「オペレータ」の欄に操作可能に表示される。）例えば、最終操作画面が「生産」の「コンベア幅替え」の設置画面であったとき、ＳＵＰＥＲ ＵＳＥ
Ｒと権限のある一般ＵＳＥＲが再ログイン可能（一般ＵＳＥＲで幅替えの権限を持たないユーザは不可）として選択可能に表示されるが、最終操作画面が「メンテナンス」に含まれる画面であったときは、ＳＵＰＥＲ ＵＳＥＲのみが再ログイン可能として表示される
。
【００５６】
次に、図６に戻って、入力されたパスワードがＳＵＰＥＲ ＵＳＥＲでない場合には、
一般ＵＳＥＲのメニュー画面（７）を示す。図１５に、一般ＵＳＥＲ（デフォルトユーザも含む）がログインしたときのメニュー画面（７）の例を示す。一般のオペレータは、メニュー画面（７）を介して生産実行部を操作する。このメニュー画面には、「メンテナンス」に関するコマンドは用意されていない。また、「生産」「セットアップ」についても、ＳＵＰＥＲ ＵＳＥＲによって権限を制限されることがある。
【図面の簡単な説明】
【００５７】
【図１】本発明の一実施例になる管理調整モードプロテクション機能を備えた回路基板製造装置のブロック構成図である。
【図２】図１の記憶部の構成例を示す図である。
【図３】ライン管理者、一般のオペレータ、デフォルトユーザの登録リストの例を示す図である。
【図４】ＳＵＰＥＲ ＵＳＥＲがログインした後の表示画面（タッチパネル画面）における入力モードの階層を示す図である。
【図５】一般ＵＳＥＲ（デフォルトユーザ）の場合の表示画面（タッチパネル画面）を示す図である。
【図６】ＳＵＰＥＲＵＳＥＲのログイン画面からの動作の流れを示すフローチャートである。
【図７】管理調整パネルからの入力操作、設定変更または調整の例を示す図である。
【図８】ＳＵＰＥＲ ＵＳＥＲのオペレータ設定画面（４）の例を示す図である。
【図９】タッチパネル画面のＳＵＰＥＲＵＳＥＲのＬＯＧＩＮ受付画面（１）の例を示す図である。
【図１０】「ＳＵＰＥＲ ＵＳＥＲメニュー画面」（２）の例を示す図である。
【図１１】「ＳＵＰＥＲ ＵＳＥＲのメンテナンス画面」（３）の例を示す図である。
【図１２】「ＳＵＰＥＲ ＵＳＥＲのオペレータ設定画面」（４）の例を示す図である。
【図１３】「ＳＵＰＥＲ ＵＳＥＲのＡＵＴＯ ＬＯＧＯＦＦ機能設定画面」（５）の例を示す図である。
【図１４】通常のログオフを行う場合の画面の例を示す図である。
【図１５】一般ＵＳＥＲのメニュー画面の例を示す図である。
【図１６】オートログオフ機能の実行フローチャートを示す図である。
【図１７】再ログイン受付画面（６）の例を示す図である。
【図１８】デフォルトユーザが設定されていない場合の、オートログオフ機能の実行フローチャートを示す図である。
【符号の説明】
【００５８】
１０・・・ホストコンピュータ、２０・・・回路基板製造装置、２１・・・制御部、２２・・・入力部、２３・・・表示部、２４・・・通信部、２５・・・時計部、２６・・・記憶部、２７・・・生産実行部、２６１・・・生産作業プログラム、２６２・・・装置の駆動状況のデータ、２６３・・・登録ユーザデータ、２６４・・・オートログオフ・オートログイン制御実行プログラム、２６５・・・実行プログラムに関する事前の設定項目データ。
【図１】
2008235915.tif 000003
【図２】
2008235915.tif 000004
【図３】
2008235915.tif 000005
【図４】
2008235915.tif 000006
【図５】
2008235915.tif 000007
【図６】
2008235915.tif 000008
【図７】
2008235915.tif 000009
【図８】
2008235915.tif 000010
【図９】
2008235915.tif 000011
【図１０】
2008235915.tif 000012
【図１１】
2008235915.tif 000013
【図１２】
2008235915.tif 000014
【図１３】
2008235915.tif 000015
【図１４】
2008235915.tif 000016
【図１５】
2008235915.tif 000017
【図１６】
2008235915.tif 000018
【図１７】
2008235915.tif 000019
【図１８】
2008235915.tif 000020